(57)【要約】本発明は、場所１において取り込まれた動画のデータを、場所２でリアルタイムに遠隔的にモニターされることを可能にする遠隔モニタリングの方法およびシステムの技術に関し、さらに具体的には、動画が、場所１におけるコンピュータ（一般的にＰＣ）にインストールされたウェブカメラで撮影され、場所２におけるモバイルＶＯＤ（ビデオオンデマンド）端末上のモバイルブラウザ（ＷＡＰページまたはＷＥＢページ）を介して該動画のコンテンツを受信する要求を受けると、該動画のデータは、ストリーミングサーバを用いることによってＶＯＤ端末クライアントにおいて遠隔的にモニターされる、方法およびシステムに関する。
2008530916.tif 000002
【特許請求の範囲】
【請求項１】
遠隔モニタリングアプリケーションソフトウェアを用いるモバイル端末を介しての遠隔モニタリングの方法であって、該方法は、
遠隔モニタリングアプリケーション環境がコンピュータに実装され、初期化される第１のステップと、
物体の動画が、該コンピュータにリンクされた１台以上のウェブカメラによって撮影され、撮影された該動画が、該コンピュータのモニターに映し出される第２のステップと、
ストリーミングリンクが、サービスを提供する無線インターネットサイトで作成されることにより、ストリーミングの準備をする第３のステップと、
１つ以上のモバイルＶＯＤ端末が、ストリーミングクライアントとして該無線インターネットサイトにアクセスすることにより、該物体の該動画のストリーミングをリアルタイムに受信する第４のステップと
を包含する、遠隔モニタリング方法。
【請求項２】
前記第１のステップは、
メンバーシップが、指定された手順に従ってマネージメントサーバに登録されるステップと、
前記サービスを提供する無線インターネットサイトは、前記遠隔モニタリングアプリケーションソフトウェアをコンピュータにダウンロードするようにアクセスされるか、該アプリケーションは、該遠隔モニタリングアプリケーションソフトウェアを格納する記録媒体を用いて該コンピュータにインストールされるステップと、
該アプリケーションが実行され、モニタリング環境が設定されるステップと
を包含する、請求項１に記載のモバイル端末を用いる遠隔モニタリング方法。
【請求項３】
前記モニタリング環境は、オープン／ノットオープンと、Ｙ／Ｎとを設定するオプションを含んで設定される、請求項２に記載のモバイル端末を用いる遠隔モニタリングの方法。
【請求項４】
前記物体の前記動画がリアルタイムで撮影される前記第２のステップは、ビデオ／オーディオのソースを生成することと、リアルタイムエンコーディングによってストリーミングフォーマットに変換することとを包含し、
撮影される該動画は、前記コンピュータモニターに映し出され、同時にメインスクリーンプレーヤーが該コンピュータモニター上で実行され、
該メインスクリーンプレーヤーは、リアルタイムで撮影されている前記物体の該動画のディスプレイ領域と、チャネルタイトル領域と、チャネルスクリーン画質セットアップ領域と、メニュー領域と、モニタリングの開始／完了領域と、チャネル情報訂正領域と、オープン／ノットオープン変更領域などを備えている、
請求項１に記載のモバイル端末を用いる遠隔モニタリング方法。
【請求項５】
前記第３のステップは、
前記動画のソースが、ストリーミングフォーマットに変換され、前記ストリーミングサーバに登録されるステップと、
無線インターネットページが、前記無線インターネットサイトで作成されるステップと、
前記ストリーミングファイルリンクが、該無線インターネットページで作成されるステップと
を包含する、請求項１に記載のモバイル端末を用いる遠隔モニタリングの方法。
【請求項６】
前記第４のステップは、
前記１つ以上のモバイルＶＯＤ端末が、前記無線インターネットサイトにアクセスするステップと、
前記動画をリアルタイムで撮影するチャネルのオープン／ノットオープンが決定され、ノットオープンの場合は、パスワードが入力されるステップと、
該無線インターネットサイトの該無線インターネットページ上に作成された前記ストリーミングリンクが選択されるステップと、
該無線インターネットページ上の適合するチャネルで、リアルタイムで撮影されている動画データのストリーミングに対する要求信号が、該ストリーミングサーバに送信されるステップと、
該ストリーミングサーバが、適合する該動画のストリーミングを該モバイルＶＯＤ端末に行うステップと
を包含する、請求項１に記載のモバイル端末を用いる遠隔モニタリング方法。
【請求項７】
前記アプリケーションは、Ｎ（Ｎは１より大きな整数）個のチャネルが、Ｎ台の前記ウェブカメラを用いて構成されるような方法で予め設定され、
第４のステップにおいて、Ｎ個の該チャネルは、Ｎ個のストリーミングファイルを群１として形成するように構成され、
該群１として構成された該チャネルのうちの１つは、前記モバイル端末の側からの選択によって該モバイル端末にストリームされる、請求項１に記載のモバイル端末を用いる遠隔モニタリング方法。
【請求項８】
前記アプリケーションは、Ｎ（Ｎは１より大きな整数）個のチャネルが、Ｎ台の前記ウェブカメラを用いて構成されるような方法で予め設定され、
第４のステップにおいて、Ｎ個の該チャネルは、Ｎ個のストリーミングファイルを群１として形成するように構成され、
該群１として構成された該チャネルのうちの１つは、前記コンピュータの側からの選択によって前記モバイル端末にストリームされる、請求項１に記載のモバイル端末を用いる遠隔モニタリングの方法。
【請求項９】
前記カメラによって撮影される前記動画の前記物体は、１つ以上の、ペット（ペットの世話）または、幼児もしくは子供（子供の世話）または、小規模店舗もしくはコンビニエンスストア（店舗の監視）、および個人（個人的なキャスティング）である、請求項１に記載のモバイル端末を用いる遠隔モニタリングの方法。
【請求項１０】
モバイル通信の加入者のモバイル端末を介してリアルタイムで動画をストリームする遠隔モニタリングシステムであって、該動画は、ユニットコンピュータにインストールされた１台以上のウェブカメラによって撮影されており、該遠隔モニタリングシステムは、
ストリーミングリンクを有する遠隔モニタリングアプリケーションモジュールにより埋め込まれた無線インターネットページを作成する無線インターネットサーバと、
該遠隔モニタリングアプリケーションを実行した後、物体の動画を撮影することにより、該動画のオリジナルのデータを生成する、ユニットコンピュータおよび複数のユニットコンピュータの集合体と、
エンコーディングによって該コンピュータで作成された該動画のオリジナルのデータのストリーミングファイルを登録し、これを該端末に送信するストリーミングサーバと、
該無線インターネットサイトサーバの該無線インターネットページを介して、該ストリーミングサーバから撮影されているストリーミングの動画をリアルタイムで受信するモバイル通信ネットワークの該加入者のモバイルＶＯＤ端末または端末の集合体と
を備えている、遠隔モニタリングシステム。
【請求項１１】
前記遠隔モニタリングアプリケーションモジュールは、メインスクリーンプレーヤーを前記ユニットコンピュータのモニターに映し出し、該メインスクリーンプレーヤーは、前記物体の動画ディスプレイ領域と、チャネルタイトル領域と、チャネルスクリーン画質セットアップ領域と、メニュー領域と、モニタリングの開始／完了領域と、チャネル情報訂正領域と、オープン／ノットオープン変更領域などを含む、請求項１０に記載のモバイル端末を用いる遠隔モニタリングのシステム。
【請求項１２】
メンバーシップの加入者のデータと認証情報とを格納するデータベースと、
メンバーシップ情報を管理し、該管理される情報に従って処理のために要求される認証作業を行うマネージメントサーバ１と、
前記無線インターネットページについての情報を管理するマネージメントサーバ２と
をさらに備えている、請求項１０に記載のモバイル端末を用いる遠隔モニタリングシステム。
【請求項１３】
Ｎ（Ｎは１より大きな整数）個のチャネルは、Ｎ台のウェブカメラを用いて構成され得る、請求項１０に記載のモバイル端末を用いる遠隔モニタリングのシステム。
【発明の詳細な説明】
【技術分野】
【０００１】
本開示は、遠隔モニタリング方法およびシステムの技術に関し、該技術は、場所１において取り込まれる動画のデータが、リアルタイムに場所２において遠隔的に監視されることを可能にし、さらに具体的には、動画が、場所１におけるコンピュータ（一般的にＰＣ）にインストールされたウェブカメラで撮影され、場所２におけるモバイルＶＯＤ（ビデオオンデマンド）端末を介して該動画のコンテンツを受信する要求を受けると、該動画のデータは、ストリーミングサーバを介してＶＯＤ端末クライアントにおいて遠隔的に監視される、方法およびシステムに関する。
【背景技術】
【０００２】
現在、インターネットは、ＷＷＷに関連する技術の開発および向上のおかげで爆発的な成長を遂げている。世界中には何億ものインターネットユーザが存在する。そのような向上に基づいて、ユーザは、単純なテキストベースのデータのみならず、様々なメディアデータをウェブ上で処理する能力を要求している。そのような状況の下で、無線環境におけるメディアデータのプロセスおよび送信の技術は、無線端末の幅広い分布および無線のインターネット技術の向上と結合して新たな段階に発展している。とりわけ、様々なメディアコンテンツをストリームすることが最近になって可能となり、それらはＣＰ（コンテンツプロバイダ）サーバから携帯電話またはＰＤＡに、モバイル端末、例えば携帯電話またはＰＤＡ（携帯情報端末）を用いて供給される。
【０００３】
しかし、ＣＰサーバを管理する企業またはＣＰサーバにコンテンツを提供する企業が、モバイル端末でストリーミングが可能な動画のコンテンツを作成することが一般的である。従って、コンテンツの作成は、モバイル端末を用いたコンテンツの使用からは分離され、個人がコンテンツを作成したとしても、その個人は、ユーザと同様、直接のコンテンツプロバイダユーザとして同時に指名され得ず、あるいはコンテンツの作成および使用がリアルタイムに起こらなかった。
【０００４】
さらに、既存のカメラを使用するリアルタイムの遠隔モニタリングシステムは、ＣＣＴＶモニターの間において、カメラによって撮影された動画の通信によって可能であったが、設置の難しさおよび高い費用のためにその距離は限定されていた。よって、システムは、特定の建物内のみで可能であるという点で問題であった。また、個人は、遠隔モニタリングの被写体にはなれなかった。
【発明の開示】
【課題を解決するための手段】
【０００５】
本発明の一実施形態は、遠隔モニタリング方法を提供し、該方法は、ユーザが、何時でも、何処でも、ウェブカメラによってその時に撮影されている（ライブキャスティングの）動画をリアルタイムで見ることを可能にし、ウェブカメラがインストールされている場所までの距離に関わらず、それが可能である。これを実現するために、本発明の発明者は、広いインターネットネットワークおよび数多くの加入者を抱えるモバイル通信ネットワークの統合を見越していた。
【０００６】
本発明の別の実施形態は、遠隔モニタリング方法を提供し、該方法は、ユーザの個人的な環境に適しており、該方法によってモバイル通信の加入者が自分の携帯電話またはＰＤＡを介して無線のインターネットにアクセスし、モニターされているストリーミングの動画を得ることを可能にする技術の適用で高レベルの個人的な環境を実装し、その結果、インストールが容易なウェブカメラおよびパーソナルコンピュータの使用および様々な便利なモジュールを有するアプリケーションの使用による容易なアクセシビリティを保証する。
【０００７】
加えて、コンテンツを作成し用いる観点から、本発明の実施形態は、コンテンツの作成および使用が、特定の個人によってリアルタイムになされることを可能にする。本発明者らは、例えばペット動物の遠隔モニタリング、店舗フロアの監視システム、保育園／幼稚園の子供の監視、小規模で個人的なブロードキャスティングの動画など、様々な用途を有するコンテンツの作成が可能な遠隔モニタリングの方法を提供する。
【０００８】
さらに、本発明の一実施形態は、セットプロジェクトのための遠隔モニタリングの方法を実装することが可能なシステムを提供する。広域インターネットネットワークおよびモバイル通信ネットワークは、本発明の実施形態のシステムにおいて統合される。本発明者らは、本発明の実施形態の構成が、拡張されたコンセプトとして理解されるべき全体のシステムにおける各端末（コンピュータ／モバイル端末）の地理的なコンセプトを有するよう、設計をする努力をした。
【０００９】
本発明の実施形態の他の目的および利点は、以下に記述される。本発明の他の目的および利点が、本発明の様々な実施形態および請求項に記載された事柄によってのみならず、容易に考慮され得る範囲内で生成され得る手段および組み合わせによっても、より幅広く受け入れられ、それは本発明の固有の効果に一致するということを、本発明者らは付け加える。
【００１０】
そのような目的を達成するために、本発明の実施形態は、遠隔モニタリングアプリケーションソフトウェアを用いる、モバイル端末による遠隔モニタリング方法に関し、該方法は、
遠隔モニタリングアプリケーション環境がコンピュータに実装され、初期化される第１のステップと、
物体が、該コンピュータに接続された１つ以上のウェブカメラによって撮影され、撮影されている動画は、該コンピュータのモニターに映し出される第２のステップと、
ストリーミングリンクが、サービスを提供する無線インターネットサイトで作成されることにより、ストリーミングの準備をする第３のステップと、
１つ以上のモバイルＶＯＤ端末が、ストリーミングクライアントとして該無線インターネットサイトにアクセスすることにより、該物体の該動画をリアルタイムに受信する第４のステップとを包含する。
【００１１】
また、第１のステージは、
メンバーシップの登録は、既に設定された手順に従ってマネージメントサーバにおいて行われるステップと、
組み込まれる遠隔モニタリングアプリケーションソフトウェアを有するサービスを提供するウェブサイトは、コンピュータにダウンロードするようにアクセスされるか、該アプリケーションは、該遠隔モニタリングアプリケーションソフトウェアを格納する記録媒体を用いて該コンピュータにインストールされるステップと、
該アプリケーションが実行され、モニタリング環境が設定されるステップと
を包含することが望ましい。
【００１２】
また、前記モニタリング環境は、オープン／ノットオープンと、Ｙ／Ｎとを設定するオプションを含んで設定されることが望ましい。
【００１３】
また、本発明の実施形態の第２のステージの間に、
物体がリアルタイムで撮影され、デジタルのビデオ／オーディオのソースを生成し、該ソースがリアルタイムエンコーディング（Ｅｎｃｏｄｉｎｇ）によってストリーミングフォーマットに変換されることが理解され得る。
【００１４】
メインスクリーンプレーヤーは、リアルタイムで撮影される物体の動画のディスプレイ領域と、チャネルのタイトル領域と、チャネルスクリーン画質セットアップ領域と、メニュー領域と、モニタリングの開始／完了領域と、チャネル情報訂正領域と、オープン／ノットオープン変更領域などを備えており、コンピュータモニター上で実行され、撮影されている該動画は、コンピュータモニターに映し出される。
【００１５】
また、第３ステージは、
撮影される動画のソースが、ストリーミングフォーマットに変換されるように準備され、マネージメントサーバとの通信が接続されるステージと、
ページが、無線インターネットサイトで作成されるステージと、
ストリーミングファイルのリンクが、該無線インターネットページで作成されるステージとを包含することが望ましい。
【００１６】
さらに、第４ステージは、
１つ以上のモバイルＶＯＤ端末が、無線インターネットサイトにアクセスするステージと、
リアルタイムで撮影するチャネルのためのオープン／ノットオープンが決定され、ノットオープンの場合は、パスワード値が入力されるステージと、
無線インターネットページ上に作成されたストリーミングリンクが選択されるステージと、
無線インターネットページ上の適合するチャネルで、リアルタイムで撮影されている動画に対するストリーミング要求信号が、サーバに送信されるステージと、
該ストリーミングサーバが、適合する動画のデータのストリーミングをモバイルＶＯＤ端末に行うステップとを包含することが望ましい。
【００１７】
また、モバイル端末を用いる本発明の実施形態の遠隔モニタリング方法において、アプリケーションは、Ｎ（Ｎは１より大きな整数）台のカメラが、Ｎ個のチャネルを構成するように用いられるような方法で予め設定され、
Ｎ個のチャネルは、Ｎ個のストリーミングファイルを第４ステージの群１として形成するように構成され、
該群１として構成された該チャネルのうちの１つは、モバイル端末の側からの選択によってモバイル端末にストリームされることが望ましい。
【００１８】
別の解説で、別の実施形態において、アプリケーションは、Ｎ（Ｎは１より大きな整数）台のカメラが、Ｎ個のチャネルを構成するように用いられるような方法で予め設定され、
Ｎチャネルは、Ｎのストリーミングファイルを第４ステージの群１として形成するように構成され、
該群１として構成された該チャネルのうちの１つは、コンピュータの側からの選択によってモバイル端末にストリームされることが望ましい。
【００１９】
そして、カメラの撮影する物体は、１つ以上のペット動物（ペットの世話）と、幼児または子供（子供の世話）と、小規模店舗またはコンビニエンスストア（店舗の監視）と、個人（個人的なキャスティング）とである。
【００２０】
また、本発明の実施形態のシステムは、ユニットコンピュータにインストールされた１つ以上のウェブカメラによって撮影されており、モバイル通信ネットワークの加入者のモバイル端末を介してリアルタイムで動画をストリームすることによって、動画を遠隔的にモニターするシステムであって、該システムは、
組み込まれた遠隔モニタリングアプリケーションモジュールを有するストリーミングリンクを有する無線インターネットページを作成するサーバであって、サーバと
遠隔モニタリングアプリケーションを実行した後に、物体の動画を撮影し、オリジナルの動画データを生成する、ユニットコンピュータと複数のユニットコンピュータの集合体と、
リアルタイムのエンコーディングによってコンピュータで作成されたオリジナルの動画のデータのストリーミングファイルを登録し、端末にこれを送信する、ストリーミングサーバと、
無線インターネットサイトの該無線インターネットページを介して、該ストリーミングサーバからその瞬間に撮影されている動画データをリアルタイムで受信する、モバイル通信ネットワークの加入者のストリーミングが可能なモバイルＶＯＤ端末または複数の端末の集合体とを備えている。
【００２１】
本発明の実施形態のシステムの遠隔モニタリングアプリケーションモジュールは、メインスクリーンプレーヤーをユニットコンピュータのモニターに映し出す機能を実行し、該メインスクリーンプレーヤーは、物体の動画ディスプレイ領域と、チャネルタイトル領域と、チャネルスクリーン画質セットアップ領域と、メニュー領域と、モニタリングの開始／完了領域と、チャネル情報訂正領域と、オープン／ノットオープン変更領域などを含む。
【００２２】
さらに、本発明の実施形態のシステムに関する実施形態は、メンバー加入者のデータと認証作業情報が格納されているデータベースを含み、メンバー情報を管理し、管理される情報に基づいて認証の手順を取るマネージメントサーバ１と、無線インターネットページに対する情報を管理するマネージメントサーバ２とを備えている。
【００２３】
本発明の実施形態のシステムに関する実施形態は、ユニットコンピュータが、Ｎ台のウェブカメラを用いるＮ（Ｎは１より大きな整数）個のチャネルによって構成されるように、設定される。
【発明を実施するための最良の形態】
【００２４】
図面の簡単な説明の中に記述される参照の図は、様々な実施形態の実施例を例示する。本発明の技術的な概念は、図中に例示される事柄のみに限定はされない。
【００２５】
本発明に基づいた実施形態は、以下に詳細に添えられ、記述される。実施形態の記述において、当該分野に熟知している者に明白な公開されている機能または構造などの事項の場合には、該事柄の詳細な記述は省略される。
【００２６】
本明細書を通しての「一実施形態」または「実施形態」の言及は、該実施形態に関連した特定の特色、構成または特徴が、少なくとも１つの実施形態に含まれることを意味する。従って、本明細書を通しての様々な箇所における「一実施形態において」または「実施形態において」という句の出現は、必ずしも全てが同一の実施形態を参照するものではない。さらに、特定の特色、構成または特徴が、任意に適切な手段によって１つ以上の実施形態において組み合され得る。
【００２７】
図１は、本発明の実施形態の遠隔モニタリング方法を実装するシステムであって、システムの内側のユニットコンピュータの概要を例示し、該システムは、ウェブカメラ（１）と、ユニットコンピュータＰＣ（２）と、インターネットウェブサイトのウェブサーバ（３）と、アプリケーションモジュール（４）と、マネージメントサーバ１（５）と、マネージメントサーバ２（６）と、ストリーミングサーバ（７）と、無線インターネットサーバ（８）と、モバイル通信ネットワークの加入者のモバイルＶＯＤ端末（９）とを含む。
【００２８】
インターネットを用いて、ＰＣ（２）のユーザは、本発明の実施形態のサービスを提供するウェブサイト（無線インターネットサイト）にアクセスし、既に指定されたプロセスに従ってウェブサーバ（無線インターネットサイトに対するサーバ）（３）に格納されたプログラムによってメンバーシップに加入する。該ウェブサーバ（３）に接続されたマネージメントサーバ１（５）は、メンバーのデータベースを構築し、該データベースに基づいて信用性を認証する。
【００２９】
ＰＣ（２）のユーザは、ウェブサイト上のアプリケーションダウンロードページから遠隔モニタリングのためのアプリケーションモジュール（４）をダウンロードし、アプリケーションモジュール（４）のインストレーション方法に従ってインストレーションのステップを踏む。そのようなインストレーション方法の他に、アプリケーションモジュールを格納する記録媒体を用いる方法もまた、利用可能である。
【００３０】
アプリケーションモジュール（４）は、ＰＣ（２）がモニタリングブロードキャスティングを行うために実行されなくてはならない。このときに、ＰＣ（２）にインストールされた１つ以上のウェブカメラ（１）は、リアルタイムで物体の動画を撮影し、ＰＣ（２）にオリジナルのデータを送信する。ＰＣ（２）から送信された動画のオリジナルデータを受け入れるためにマネージメントサーバ１（５）から認証情報を受信した後に、マネージメントサーバ２（６）は、ウェブサイト上に遠隔モニタリングのための無線インターネットページを作成する。
【００３１】
別の解説において、ＰＣ（２）は、アプリケーションモジュール（４）に従ってカメラによって撮影された動画のオリジナルデータ（ビデオ／オーディオのソース）のエンコーディングをリアルタイムで行い、ストリーミングサーバ（７）にそれを送信する。ストリーミングサーバ（７）は、モバイルＶＯＤ端末が、無線インターネットページにアクセスすることによってストリーミングサービスを受信することを可能にする。
【００３２】
モバイル通信の加入者が、自分のモバイルＶＯＤ端末（９）を用いてウェブサイトにアクセスし、該無線インターネットページにリンクされたストリーミングリンクを選択するときには、ストリーミングクライアントのモバイル端末は、ストリーミングサーバ（７）にアクセスし、遠隔モニタリングが、該当する端末によってリアルタイムで行われる。モバイル端末（９）は、端末内に既にインストールされた無線インターネットブラウザを用いて、システムの中のサーバにアクセスし、データ要求メッセージを送信する。このときに、無線インターネットサーバ（８）は、ブラウザと通信するための無線インターネット通信プロトコルと、サーバと通信するために用いられる標準的なＨＴＴＰおよびＴＣＰ／ＩＰとの間のプロトコル変換に責任を有し、ブラウザによって要求されるようにサーバ内のコンテンツを適切なスクリプトフォーマットに変換し、端末とサーバとの間の通信の間のエンコーディング（Ｅｎｃｏｄｉｎｇ）およびデコーディングを担当するゲートウェイとしての役目を担う。
【００３３】
別の解説において、モバイルＶＯＤ端末（９）からデータ要求信号を受信すると、該マネージメントサーバ１（５）は、データベースから加入者の登録のはい／いいえを検査し、認証作業を行い、結果をマネージメントサーバ２（６）に転送し、マネージメントサーバ２（６）を介して端末にストリーミング、はい／いいえを決定する。次いで、モバイル通信ネットワークの加入者の無線端末は、ＭＰＥＧ−４ＶＯＤスタンダードプラットフォームを基礎とするＭＰＥＧ−４の技術に基づいてビデオ信号およびオーディオ信号を再生する。
【００３４】
加入者のデータベースを維持しながら、該マネージメントサーバ１（５）は、ウェブサイト上でログイン認証作業を行い、モバイル端末（９）側から無線インターネットサーバにログイン認証作業を行う。マネージメントサーバ２（６）は、動画がリンクされるが統合された管理も可能である無線インターネットページを作成および管理するためのマネージメントサーバであるという点でその機能によって分離されている。しかし、便宜上、実施形態（遠隔モニタリングの方法）においては分離されていない。
【００３５】
詳細なシステムマネージメントおよびアプリケーション構成は、以下に記述の遠隔モニタリング方法の実施形態で取り組まれる。この時点で、モバイル通信の加入者のネットワークがＣＤＭＡネットワークまたはＧＳＭネットワークであるか区別されなくても、各ネットワークは、該無線インターネットサーバ（８）を別個に装備しなくてはならず、またネットワークは指定されなくてはならず、またはアプリケーションモジュール環境が設定されるときに自動的に指定されるということを、本発明者らは付け加える。
【００３６】
別の解説において、これは以前にユニットコンピュータに基づいて記載された。しかし、本発明の実施形態のシステムは、数多くのユニットコンピュータを備えているセットを形成する。モバイル端末は、各ユニットコンピュータで撮影される動画を遠隔的にモニターする端末の広範囲に及ぶ群と理解され得る。言い換えると、動画が撮影される場所１のコンピュータと、動画がストリーミング可能な場所２のモバイル端末は、本発明の実施形態のシステムにおいて相対的な意味を有する。コンピュータの群は、システムネットワークの内側に構成され、該システムネットワークは、動画を撮影するＮ（Ｎは１より大きな整数）台のコンピュータを備え、モバイル端末の群は、Ｍ（Ｍは、１より大きな整数）台のストリーミングが可能なモバイル端末を備えて構成される。従って、全体のシステムにおける各端末（コンピュータ／モバイル端末）の地理的なコンセプトは、場所１、場所２、場所３．．．場所Ｋ（Ｋは１より大きな整数）と拡張する。
【００３７】
例えば、モバイルＶＯＤ端末Ｍ１がコンピュータＮ１で撮影される動画をモニタリングする（この場合には、モニタリングチャネルもまた、ユニットコンピュータＮ１に接続されたウェブカメラの数と同じ数だけ拡張する）ときにさえ、別のモバイル端末Ｍ２が、コンピュータＮ１の動画をリアルタイムでモニターし得、各モバイル端末（Ｍ）もまた、Ｎ１ではない他のコンピュータＮ２の動画をモニターし得る。従って、動画を撮影する場所および動画をモニタリングする場所を拡張し続けることが可能となる。これに基づいて、上述の地理的なコンセプトは、少なくともこのシステムのユニットコンピュータの数とモバイルＶＯＤ端末の数との合計数だけ拡張される。勿論、モバイルＶＯＤ端末は、モバイル通信ネットワークの中にあるモバイルデバイスであるから、そのような拡張性は、時間、状況または場所に関わらず遠隔モニタリングを系統的にサポートする。
【００３８】
図２は、Ｓ１１からＳ１４まで本発明の一実施形態に従った遠隔モニタリングの概要を例示する。
【００３９】
図３は、図２のプロセスをより詳細に例示する。本発明者らは、ここで図３に関連した図２のプロセス、つまりは図２の詳細な実施形態を記述する。
【００４０】
モバイル端末を介して遠隔的にモニターするために、遠隔モニタリングアプリケーション環境が、コンピュータ内に実装され、初期化のステップ（Ｓ１１）が、予め取られる。
【００４１】
始めに、該ステップＳ１１において、サービスの加入者は、該サービスを提供するウェブサイトに既に設定された手順に従ってメンバーシップ情報およびパスワードを入力することによって、メンバーシップ登録（Ｓ１０１）を行う。この時点で、メンバーシップ登録の手順は、モバイル端末、例えば携帯電話およびＰＤＡを用いるモバイル通信の加入者のメンバーシップ登録および物体の動画を撮影するＰＣのユーザのメンバーシップ登録を含む。
【００４２】
次に、加入者は、ウェブサイトのアプリケーションダウンロードページに挿入された遠隔モニタリングアプリケーションソフトウェアをダウンロードし、それをＰＣ上に格納するか、または、遠隔モニタリングアプリケーションソフトウェアが格納されている様々な記録媒体（ＣＤ、ＤＶＤ、メモリースティックなど）を介して、コンピュータにアプリケーションをインストールする（Ｓ１０２）。
【００４３】
アプリケーションが実行された後、指定された認証作業の手順が取られ、モニタリングの環境が設定される（Ｓ１０３）。このときに、ユーザは、画像撮影チャネル（１つのモニタリングチャネルがカメラごとに形成される）、チャネルの名前、ネットワーク選択（ＣＤＭＡネットワークまたはＧＳＭネットワーク）、チャネルの画質、チャネル追加・省略・変更などに対するオープン（Ｏｐｅｎ）／ノットオープン（Ｎｏｔ  Ｏｐｅｎ）の環境を設定することとなる。チャネル環境がノットオープンと設定される場合には、パスワードが選択される。
【００４４】
次に、物体の動画が、ユニットコンピュータに接続された１つ以上のウェブカメラによって撮影され、コンピュータモニターに映し出される（Ｓ１２）。
【００４５】
Ｓ１２の手順のより詳細な記述は、以下の通りである。物体の動画が、リアルタイムで撮影され、デジタルのビデオ／オーディオのソースを生成する。次いで、動画は、リアルタイムエンコーディング（Ｅｎｃｏｄｉｎｇ）を介してストリーミングフォーマットに変換され、メインスクリーンプレーヤー（１０）が、コンピュータモニターに映し出される（Ｓ１０４）。図４に例示されるように、メインスクリーンプレーヤー（１０）は、携帯電話を介して遠隔的にモニターされる物体の動画を表示する動画ディスプレイ領域（１１）と、モニタリングが現在ブロードキャストされているかどうか（Ｙ／Ｎ）を表示し、モニタリングの開始時にフラッシュし、さもなければモニタリングが放送されていないことを示すブロードキャスティングランプ（１２）と、チャネルタイトル領域（１３）と、全チャネル数を表示し、チャネルを選択するチャネル選択ボタン（１４）と、高画質、中画質、低画質から選択を可能とする画質セットアップ領域（１５）と、メニュー領域（１６）と、モニタリングの開始および完了信号を送信するモニタリング開始／完了領域（１７）と、チャネル追加領域（１８）と、チャネル省略領域（１９）と、チャネル情報訂正領域（２０）と、現在モニターされているチャネルのためのタイトル表示領域（２１）と、オープン／ノットオープン変更領域（２２）とを含む。
【００４６】
アプリケーションは、Ｎ個のチャネルが、ユニットコンピュータごとにＮ（Ｎは１より大きな整数）台のウェブカメラを用いて構成されるように予め設定され、これは以前に記述されたことと同様である。ステップＳ１０４においてＮチャネルを構成することによって、Ｎ個のストリーミングファイルが群１に作られ得る。次いで、費用と現実性を可能な限り考慮して、アプリケーションが３チャネルまでの追加を３台までのカメラをインストールすることによって可能にするように、前もって整えられる。次いで、チャネル数が、選択ボタン（１４）を介してメインスクリーンプレーヤー（１０）に表示される。勿論、理論上は、４台以上のカメラをインストールすることは可能であり、そのようなインストレーションに技術的な制限はない。しかし、費用およびシステム運用の観点から見ると、経済的な制限のために本発明の一実施形態の個人的な環境において、遠隔モニタリング方法は望ましいものではないかもしれない。
【００４７】
ＰＣ側からの加入者は、群１として構成されたチャネルの１つを選択および設定し得、該チャネルは、チャネル選択ボタン（１４）、チャネル追加領域（１８）またはチャネル省略領域（１９）を介して、またはメニュー領域（１６）の中の詳細なアイテムを介して、携帯電話でストリーミングを行い得る。
【００４８】
また、モバイル端末のユーザがチャネルを選択することを可能にする方法の１つは、ウェブサイト上の無線インターネットページにリンクされるチャネル数と同数のストリーミングプレイリストを作成し、モバイル端末のユーザが所望のチャネルリンクを選択することを可能にすることである。
【００４９】
次に、ストリーミングリンクは、ストリーミングの準備をするウェブサイトを提供するサービス上で作成される（Ｓ１３）。
【００５０】
より具体的には、ステップＳ１３において、無線インターネットページがウェブサイト上に作成され、撮影されている動画は、ストリーミングサーバに登録される（Ｓ１０５）。言い換えると、ステップＳ１０４において、ウェブカメラによって撮影されている動画のオリジナルのソースは、アプリケーションに従って作成され、ストリーミングフォーマットに取られる動画の変換が準備され、通信がマネージメントサーバと接続され、動画のソースがリアルタイムのエンコーディングを介してストリーミングフォーマットに変換され、ストリーミングサーバに送信される。ストリーミングサーバは、モバイルＶＯＤ端末にストリーミングデータを送信する。
【００５１】
次いで、適合する媒体に対するストリーミングファイルリンクが、無線インターネットページ上で作成され（Ｓ１０６）、ストリーミングクライアントがウェブサイトにアクセスしてストリーミングサービスを取得することを可能にする。
【００５２】
次いで、１つ以上のモバイルＶＯＤ端末が、ストリーミングクライアントとしてウェブサイトにアクセスし、物体の動画に対するストリーミングサービスをリアルタイムで受信する（Ｓ１４）。
【００５３】
より具体的には、ステップＳ１４において、モバイルＶＯＤ端末のユーザ、つまりはモバイル通信ネットワークの加入者は、無線インターネットを介してストリーミングクライアントとしてウェブサイトにアクセスする（Ｓ１０７）。この時点で、モバイル通信ネットワークの加入者は、端末に既にインストールされた無線インターネットブラウザを用いてシステムの内側の各サーバにアクセスし、無線インターネットサーバ（８）がゲートウェイとして機能するときには、データ要求メッセージを送信する。
【００５４】
次いで、適合するチャネルがオープンまたはノットオープンであるかが、モバイル端末側から決定される。ステップＳ１０３において、ＰＣ側から既にノットオープンと設定されている場合には、パスワードが入力されることとなる。パスワードがステップＳ１０３において格納されたものと一致しない場合は、プロセスは終了される。一致する場合には、次のステップが取られる（Ｓ１０８）。
【００５５】
次いで、モバイル端末のユーザは、無線インターネットページ上で生成されたストリーミングリンクを選択し（Ｓ１０９）、適合するリンクが選択されると、ストリーミング要求信号がストリーミングサーバに送信され（Ｓ１１０）、同時に、無線インターネットページ上の適合するチャネルで取られる動画データに対するＵＲＬがリアルタイムで送信される。
【００５６】
従って、特定のストリーミングチャネルが形成され、格納された動画のファイルは、適合するストリーミングチャネルを介してモバイル通信の加入者のモバイル端末に送信され、端末でストリームされ、表示部分で再生される（Ｓ１１１）。最終的には、ＰＣカメラによって撮影されている状況の、携帯電話またはＰＤＡなどのモバイル端末による遠隔モニタリングが可能になる。この時点で、ＰＣモニター上に映し出されたメインスクリーン上の動画は、モバイル端末の表示部分にモニターされる動画とリアルタイムで一致する。
【００５７】
図５は、ペットの世話のための本発明の実施形態のサービスを採用する実施形態を例示する。先に記述されたように、ペットがいる場所にインストールされた、ＰＣにリンクするカメラを介して、携帯電話でリアルタイムにペットの画像をモニターすることが可能である。これは、ペットをいつ、どこにいても見たいというユーザの願望をかなえる。
【００５８】
図６は、子供の世話のための本発明の実施形態のサービスを採用する実施形態を例示する。
【００５９】
先に記述されたように、幼稚園または子供部屋にインストールされたカメラを介して、携帯電話で子供の画像または状況をリアルタイムでモニターすることが可能である。例えば、テッコンドー道場の師範が道場にカメラをインストールし、練習中の子供の動画を撮影し、ウェブサイト上のストリーミングサーバに送信すれば、その親は、携帯電話を用いることによってモニターし得る。
【００６０】
図７は、店舗の監視のための本発明の実施形態のサービスを採用する実施形態を例示する。小規模の店舗またはコンビニエンスストアのオーナーまたは店員が、店内の現在の状況を携帯電話でリアルタイムに確認することを可能にする。
【００６１】
図８は、個人的なキャスティングのための本発明の実施形態のサービスを採用する実施形態を例示する。加入者は、ウェブカメラの前でアプリケーションモジュールを実行し、詳細に記述されたプロセスに従って音楽のブロードキャスティングを進める。次いで、モバイル通信の端末を用いる別の加入者が、無線インターネットを介して本発明の実施形態のサービスを提供するインターネットウェブサイトにアクセスし、ストリーミングサーバを介して、適合する音楽のブロードキャスティングに対してストリーミングが可能になる。
【００６２】
再び、これらの実施形態、特に図５〜図８に提案されたものは、本発明の単なる実施例であるということを付け加えることが重要である。本発明の保護の範囲は、これらの実施形態によって制限されない。
【００６３】
様々な技術的な規格が、本発明の実施形態のモニタリング方法およびシステムを用いるために利用可能であり、技術的手段を代用および変更し、様々な追加の実施形態を提供することは容易である。本発明の保護の範囲は、そのように明白な変更または代用によって制限されない。
【００６４】
これまでに記述された本発明に従って、ウェブカメラによって撮影されている動画をリアルタイムでモニターする（ライブキャスティング）ことが、いつでも、どこででもモバイル端末を用いて可能であり、それは、ウェブカメラがインストールされている場所までの距離に関わらず可能である。動画を撮影し、受け取る数多くのコンピュータおよびモバイル端末は、本発明のシステムにおける拡張性（特に、複数のチャネルが各ユニットコンピュータにおいて形成される点）と関連し、拡張性はモバイル端末でモニターされ得る動画の種類を広げることに効果がある。
【００６５】
また、技術が適用されると、モバイル通信の加入者が無線インターネットに自分の携帯電話でアクセスし、モニターされている動画のストリーミングを受信することを可能にする。容易なアクセス性は、インストールが容易なウェブカメラおよびＰＣを用いることによってユーザにとって増加し、同時に、多くの便利なモジュールを有するアプリケーションが、別個のハードウェアデバイスを必要とすることなく用いられ、高レベルの個人的な環境が実装され、ユーザが容易にインストールおよび使用を行うことを可能にする効果がある。
【００６６】
コンテンツの作成および使用は、記述されたようにユーザによってリアルタイムで起こるので、モニタリングのための様々なコンテンツの作成および使用、つまり、ペット、店舗の監視システム、保育園／幼稚園での子供の監視、および小規模の個人的なブロードキャスティングが可能であるという点で有利である。
【００６７】
さらに、本発明の実施形態の特色に関する独特の構成による独特の効果は、本明細書中の開示に基づいて容易に考慮され得る。本発明の効果は、実施形態および請求項に記述された事柄によってのみならず、容易に考慮され得る範囲内で生成される効果および産業の発展に寄与する一時的な利点の可能性によっても、より広範囲に受け入れられることを本発明者らは付け加える。
【００６８】
要約に記述したことを含む、上述の例示された実施形態は、網羅的になること、または開示された厳密な形状に本発明を制限することを意図するものではない。特定の実施形態および実施例が、例示の目的で本明細書中に記述されるが、様々な均等の修正が、本発明の範囲内で可能であり、本発明の真意および範囲から逸脱することなくなされ得る。
【００６９】
これら、および他の修正は、上記の詳細な記述を考慮して本発明になされ得る。請求項に用いられる用語は、本明細書および請求項に開示される特定の実施形態に本発明を制限するように解釈されるべきではない。むしろ、本発明の範囲は、請求項によって全てが決定されるべきであり、請求項は、請求項を説明する確立された原則に従って解釈されるべきである。
【図面の簡単な説明】
【００７０】
【図１】図１は、本発明の実施形態におけるシステムの全体的な構成図である。
【図２】図２は、本発明の一実施形態に従った流れ図である。
【図３】図３は、図２の構成をさらに詳細に例示する流れ図である。
【図４】図４は、本発明の実施形態におけるメインスクリーンプレーヤーの実施例を例示する。
【図５】図５は、本発明の一実施形態の図である。
【図６】図６は、本発明の別の実施形態の図である。
【図７】図７は、本発明の別の実施形態の図である。
【図８】図８は、本発明の別の実施形態の図である。
【符号の説明】
【００７１】
１：  ウェブカメラ
２：  ＰＣ
３：ウェブサーバ
４：アプリケーションモジュール
５：マネージメント１
６：マネージメント２
７：ストリーミングサーバ
８：無線インターネットサーバ
９：モバイルＶＯＤターミナル
【図１】
2008530916.tif 000003
【図２】
2008530916.tif 000004
【図３】
2008530916.tif 000005
【図４】
2008530916.tif 000006
【図５】
2008530916.tif 000007
【図６】
2008530916.tif 000008
【図７】
2008530916.tif 000009
【図８】
2008530916.tif 000010
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
モバイル端末を介してコンピュータから動画を遠隔からモニタリングする方法であって、該方法は、
遠隔モニタリングアプリケーション環境を該コンピュータに実装し、初期化した後において、該コンピュータのモニターにリンクされた１つ以上のウェブカメラによって取得された物体の動画を映し出す第１のステップと、
該動画のファイルをストリーミングサーバに登録した後に、遠隔モニタリングサービス提供ウェブサイト上に無線インターネットページを作成することを可能にし、該無線インターネットページ上で該動画をストリーミングするためのストリーミングリンクを作成する第２のステップと、
該動画のストリーミングをリアルタイムで受信し、１つ以上のモバイルＶＯＤ端末が、該ストリーミングリンクを介してストリーミングクライアントとして、該サービス提供ウェブサイトにアクセスする第３のステップと
を包含する、遠隔からモニタリングする方法。
【請求項２】
前記第１のステップは、
指定された手順に従って、前記遠隔モニタリングサービス提供ウェブサイトのメンバーとして登録されるステップと、
前記遠隔モニタリングアプリケーションソフトウェアを有しているか、または該遠隔モニタリングアプリケーションソフトウェアを格納する記録媒体を用いて前記コンピュータにアプリケーションをインストールする該サービス提供ウェブサイトから、該遠隔モニタリングアプリケーションソフトウェアを該コンピュータにダウンロードするステップと、
該アプリケーションを実行し、前記遠隔モニタリング環境を設定するステップと
を包含する、請求項１に記載の遠隔からモニタリングする方法。
【請求項３】
前記モニタリング環境は、オープン／ノットオープンと、Ｙ／Ｎとを設定するオプションを含んで設定される、請求項２に記載の遠隔からモニタリングする方法。
【請求項４】
前記第１のステップは、
前記物体の動画をリアルタイムで取得し、リアルタイムでのエンコーディングによってストリーミングフォーマットに変換することによって、デジタルビデオ／オーディオのソースを生成するステップと、
メインスクリーンプレーヤーを実行することによって、該取得された動画を前記コンピュータのモニターに映し出すステップと
を包含し、
該メインスクリーンプレーヤーは、リアルタイムで取得されている物体の動画ディスプレイ領域と、チャネルタイトル領域と、チャネルスクリーン画質セットアップ領域と、メニュー領域と、モニタリング開始／完了領域と、チャネル情報訂正領域と、オープン／ノットオープン変更領域などを備えている、請求項１に記載の遠隔からモニタリングする方法。
【請求項５】
前記第３のステップは、
前記１つ以上のモバイル端末が、前記サービス提供ウェブサイトにアクセスするステップと、
前記動画をリアルタイムで取得するチャネルのオープン／ノットオープンを決定し、ノットオープンの場合は、パスワードを入力するステップと、
前記サービス提供ウェブサイトの無線インターネットページ上に作成された前記ストリーミングリンクを選択するステップと、
該無線インターネットページ上の対応チャネルで、リアルタイムで取得されている動画のデータのストリーミングに対するストリーミング要求信号を該ストリーミングサーバに送信するステップと、
該ストリーミングサーバが、該動画のデータの該モバイル端末へのストリーミングを実行するステップと
を包含する、請求項１に記載の遠隔からモニタリングする方法。
【請求項６】
前記アプリケーションは、Ｎ（Ｎは１より大きな整数）個のチャネルが、Ｎ個のカメラを用いて構成されるように予め設定され、
前記第３のステップにおいて、Ｎ個のチャネルは、Ｎ個のストリーミングファイルを群１として形成するように構成され、
該群１として構成された該チャネルのうちの１つは、前記モバイル端末側からの選択によって該モバイル端末にストリーミングされる、請求項１に記載の遠隔からモニタリングする方法。
【請求項７】
前記アプリケーションは、Ｎ（Ｎは１より大きな整数）個のチャネルが、Ｎ個のカメラを用いて構成されるように予め設定され、
前記第３のステップにおいて、Ｎ個のチャネルは、Ｎ個のストリーミングファイルを群１として形成するように構成され、
該群１として構成された該チャネルのうちの１つは、前記コンピュータ側からの選択によって前記モバイル端末にストリーミングされる、請求項１に記載の遠隔からモニタリングする方法。
【請求項８】
前記カメラによって取得される前記動画の前記物体は、１つ以上の、ペット（ペットの世話）または、幼児もしくは子供（子供の世話）または、小規模店舗もしくはコンビニエンスストア（店舗の監視）、および個人（個人的なキャスティング）である、請求項１に記載の遠隔からモニタリングする方法。
【請求項９】
遠隔モニタリングアプリケーション環境が実装されるコンピュータにインストールされた１つ以上のウェブカメラによって取得された動画を、モバイル通信ネットワークの加入者のモバイル端末を介してリアルタイムでストリーミングする遠隔モニタリングシステムであって、該遠隔モニタリングシステムは、
遠隔モニタリングアプリケーションを実行した後に、該動画のオリジナルデータを生成するように物体の動画を取得するコンピュータと、
リアルタイムでのエンコーディングによって該コンピュータにおいて作成された該動画のオリジナルデータのストリーミングファイルを登録するストリーミングサーバと、
無線インターネットページが遠隔モニタリングサービス提供ウェブサイト上に作成されることを可能にし、その後、該無線インターネットページ上で該動画をストリーミングするためのストリーミングリンクを作成する管理サーバと、
該ストリーミングリンクを介して該ストリーミングサーバからリアルタイムで取得された該動画を受信するモバイル通信ネットワークの加入者のモバイル端末と
を備える、遠隔モニタリングシステム。
【請求項１０】
遠隔モニタリングアプリケーションモジュールは、メインスクリーンプレーヤーを前記コンピュータのモニターに映し出し、該メインスクリーンプレーヤーは、前記物体の動画ディスプレイ領域と、チャネルタイトル領域と、チャネルスクリーン画質セットアップ領域と、メニュー領域と、モニタリング開始／完了領域と、チャネル情報訂正領域と、オープン／ノットオープン変更領域などを含む、請求項９に記載の遠隔モニタリングシステム。
【請求項１１】
前記管理サーバは、
前記サービス提供ウェブサイトのメンバーシップ加入者のデータと認証情報とを格納するデータベースを含んでいる第１の管理サーバであって、メンバーシップ情報を管理し、該管理される情報に従って処理するために要求される認証を実行する第１の管理サーバと、
前記無線インターネットページに関する情報を管理する第２の管理サーバと
を備える、請求項９に記載の遠隔モニタリングシステム。
【請求項１２】
各コンピュータのためのＮ（Ｎは１より大きな整数）個のチャネルは、Ｎ個のウェブカメラを用いて構成され得る、請求項９に記載の遠隔モニタリングシステム。
【請求項１３】
動画のデータをリアルタイムでモバイル端末にストリーミングさせる管理サーバを備えた遠隔モニタリングシステムであって、
該管理サーバは、
遠隔モニタリングサービス提供ウェブサイト上に無線インターネットページを作成することを可能にし、該無線インターネットページ上で該動画をストリーミングするためのストリーミングリンクを作成する手段を備え、
該動画のストリーミングは、
該モバイル端末が該サービス提供ウェブサイトにアクセスし、該ストリーミングリンクを選択したときに、該モバイル端末によってリアルタイムで受信される、遠隔モニタリングシステム。
【請求項１４】
前記動画が登録されるストリーミングサーバをさらに備え、
該ストリーミングサーバは、
前記モバイル端末が前記ストリーミングリンクを選択したときに、該モバイル端末に該動画を提供する、請求項１３に記載の遠隔モニタリングシステム。
【請求項１５】
前記モバイル端末の前記動画のデータに対する要求の信号に従って該動画のストリーミングを該モバイル端末に送信するか否かを決定する手段をさらに備える、請求項１３に記載の遠隔モニタリングシステム。
【請求項１６】
遠隔モニタリングシステムにおいて使用される管理サーバであって、
該管理サーバは、
遠隔モニタリングサービス提供ウェブサイト上に無線インターネットページを作成することを可能にし、該無線インターネットページ上で該動画をストリーミングするためのストリーミングリンクを作成する手段を備え、
該動画は、
コンピュータにインストールされた遠隔モニタリングアプリケーションを実行することによって取得され、次いでリアルタイムで送信され、
該動画のストリーミングは、
該サービス提供ウェブサイトにアクセスし、該ストリーミングリンクを選択する該モバイル端末によってリアルタイムで受信される、遠隔モニタリングシステムにおいて使用される管理サーバ。
【請求項１７】
前記モバイル端末の前記動画のデータに対する要求の信号に従って該動画のストリーミングを該モバイル端末に送信するか否かを決定する手段をさらに備える、請求項１６に記載の遠隔モニタリングシステムにおいて使用される管理サーバ。
【請求項１８】
遠隔モニタリングシステムにおいて使用されるモバイル端末であって、
該モバイル端末は、
取得された動画をストリーミングするためのストリーミングリンクを選択し、遠隔モニタリングサービス提供ウェブサイトにアクセスすることによって動画のストリーミングを受信させるブラウザを備え、
該動画は、
コンピュータにインストールされた遠隔モニタリングアプリケーションを実行することによって取得され、次いでリアルタイムで送信され、
該サービス提供ウェブサイト上の無線インターネットページは、管理サーバによって作成され、
該無線インターネットページ上の該ストリーミングリンクは、該管理サーバによって作成される、モバイル端末。
【請求項１９】
遠隔モニタリングシステムにおいて使用されるコンピュータであって、
該コンピュータは、
動画を取得する少なくとも１つのウェブカメラと、
該動画の取得を可能にし、該取得された動画をリアルタイムでエンコーディングする遠隔モニタリングアプリケーションと、
該動画のデータをリアルタイムで送信する送信手段と
を備え、
該動画のデータは、
遠隔モニタリングサービス提供ウェブサイトにアクセスし、該動画をストリーミングするためのストリーミングリンクを選択するモバイル端末にリアルタイムで送信され、
該サービス提供ウェブサイト上の無線インターネットページは、管理サーバによって作成され、
該無線インターネットページ上の該ストリーミングリンクは、該管理サーバによって作成される、コンピュータ。
【請求項２０】
遠隔モニタリング管理サーバを用いてリアルタイムでモバイル端末に動画のデータをストリーミングする遠隔モニタリング方法であって、
該方法は、
遠隔モニタリングサービス提供ウェブサイト上の無線インターネットページと、該管理サーバを用いて該無線インターネットページ上で該動画をストリーミングするためのストリーミングリンクとを作成するステップと、
該モバイル端末が該サービス提供ウェブサイトにアクセスし、該ストリーミングリンクを選択したときに、該動画のデータのストリーミングをリアルタイムで該モバイル端末に送信するステップと
を包含し、
該動画は、コンピュータにインストールされた遠隔アプリケーションを実行することによって取得され、次いで、エンコーディングされ、リアルタイムで送信される、方法。
【国際調査報告】
2008530916.tif 000011
2008530916.tif 000012
2008530916.tif 000013